(57)【特許請求の範囲】
【請求項１】
放送されたラジオ音声を記録する記録部、
前記記録部によって記録された前記ラジオ音声を構成する複数のチャプターをそれぞれ表す複数のチャプターアイコンのデータを取得し、取得した前記複数のチャプターアイコンのデータを用いて、前記複数のチャプターアイコンを前記複数のチャプターの時系列順に並べたアイコンを前記ラジオ音声のアイコンとして生成する処理を前記ラジオ音声について行うアイコン生成部、
前記アイコン生成部が前記ラジオ音声について生成した前記ラジオ音声のアイコンを表示部に表示する表示処理部、
を備え、
前記アイコン生成部は、
前記複数のチャプターそれぞれの内容をそれぞれ表す複数のチャプター情報のデータを前記ラジオ音声とは別に所定のサーバからネットワークを介して取得することで当該チャプター情報のデータに含まれる前記チャプターアイコンのデータを取得し、取得した前記チャプター情報のデータに前記チャプターアイコンのデータが含まれないときには、当該含まれないチャプターアイコンのデータを当該チャプター情報のデータを取得したタイミングよりも後のタイミングに前記所定のサーバから前記ネットワークを介して取得する、又は、
前記複数のチャプターそれぞれの内容をそれぞれ表す複数のチャプター情報のデータを前記ラジオ音声とは別に所定のサーバからネットワークを介して取得し、取得した当該チャプター情報のデータに含まれる所定データに基づいて、記憶部に予め記録されている所定データとチャプターアイコンのデータとの対応表を参照し、当該所定データに対応する前記チャプターアイコンのデータを記憶部から読み出すことで、前記チャプターアイコンのデータを取得し、取得した前記チャプター情報のデータに前記所定データが含まれないときには、当該含まれない所定データを当該チャプター情報のデータを取得したタイミングよりも後のタイミングに前記所定のサーバから前記ネットワークを介して取得し、取得した当該所定データに基づいて、前記対応表を参照し、当該所定データに対応する前記チャプターアイコンのデータを記憶部から読み出すことで、前記チャプターアイコンのデータを取得する、
ことを特徴とする表示処理装置。
【請求項２】
前記複数のチャプターアイコンの少なくとも１つは、前記チャプターを表す図形、文字、又は、記号を含むアイコンであり、
前記アイコン生成部は、前記チャプター情報のデータを取得したときに、当該チャプター情報のデータを記憶部に記録し、
前記表示処理部は、前記ラジオ音声のアイコンを前記表示部に表示するとともに、操作部への操作によって移動するカーソルを表示し、当該カーソルが前記ラジオ音声のアイコンに含まれるチャプターアイコンの上に移動したときに、記憶部に記憶された、当該チャプターアイコンに対応する前記チャプター情報のデータに基づいて、チャプターの内容を前記表示部に表示する、
ことを特徴とする請求項１に記載の表示処理装置。
【請求項３】
前記複数のチャプターアイコンの少なくとも１つは、前記チャプターを表す、色分け又は模様分けされたバーの画像であり、
前記アイコン生成部は、前記チャプター情報のデータを取得したときに、当該チャプター情報のデータを記憶部に記録し、
前記表示処理部は、前記ラジオ音声のアイコンを前記表示部に表示するとともに、操作部への操作によって移動するカーソルを表示し、当該カーソルが前記ラジオ音声のアイコンに含まれるチャプターアイコンの上に移動したときに、記憶部に記憶された、当該チャプターアイコンに対応する前記チャプター情報のデータに基づいて、チャプターの内容を前記表示部に表示する、
ことを特徴とする請求項１に記載の表示処理装置。
【請求項４】
前記アイコン生成部は、前記記録部が記録した前記ラジオ音声の放送時間に基づいて、この放送時間に放送された複数のチャプターについての複数のチャプター情報のデータを外部から取得する、
ことを特徴とする請求項１乃至３のいずれか１項に記載の表示処理装置。
【請求項５】
前記アイコン生成部は、前記複数のチャプター情報のデータに基づいて、前記ラジオ音声全体を表すバーを前記複数のチャプターアイコンを含むブロックに分割した前記ラジオ音声のアイコンであって、前記ブロックの長さを、前記チャプターの再生時間の長さに応じた長さにした前記ラジオ音声のアイコンを生成する、
ことを特徴とする請求項１乃至４のいずれか１項に記載の表示処理装置。
【請求項６】
放送されたラジオ音声を記録する処理を行う記録ステップと、
前記記録ステップで記録した前記ラジオ音声を構成する複数のチャプターをそれぞれ表す複数のチャプターアイコンのデータを取得し、取得した前記複数のチャプターアイコンのデータを用いて、前記複数のチャプターアイコンを前記複数のチャプターの時系列順に並べたアイコンを前記ラジオ音声のアイコンとして生成するアイコン生成ステップと、
前記アイコン生成ステップで生成した前記ラジオ音声のアイコンを表示部に表示する表示処理ステップと、
を備え、
前記アイコン生成ステップでは、
前記複数のチャプターそれぞれの内容をそれぞれ表す複数のチャプター情報のデータを前記ラジオ音声とは別に所定のサーバからネットワークを介して取得することで当該チャプター情報のデータに含まれる前記チャプターアイコンのデータを取得し、取得した前記チャプター情報のデータに前記チャプターアイコンのデータが含まれないときには、当該含まれないチャプターアイコンのデータを当該チャプター情報のデータを取得したタイミングよりも後のタイミングに前記所定のサーバから前記ネットワークを介して取得する、又は、
前記複数のチャプターそれぞれの内容をそれぞれ表す複数のチャプター情報のデータを前記ラジオ音声とは別に所定のサーバからネットワークを介して取得し、取得した当該チャプター情報のデータに含まれる所定データに基づいて、記憶部に予め記録されている所定データとチャプターアイコンのデータとの対応表を参照し、当該所定データに対応する前記チャプターアイコンのデータを記憶部から読み出すことで、前記チャプターアイコンのデータを取得し、取得した前記チャプター情報のデータに前記所定データが含まれないときには、当該含まれない所定データを当該チャプター情報のデータを取得したタイミングよりも後のタイミングに前記所定のサーバから前記ネットワークを介して取得し、取得した当該所定データに基づいて、前記対応表を参照し、当該所定データに対応する前記チャプターアイコンのデータを記憶部から読み出すことで、前記チャプターアイコンのデータを取得する、
ことを特徴とする表示処理方法。
【請求項７】
コンピュータを、
放送されたラジオ音声を記録する処理を行う記録手段、
前記記録手段が記録した前記ラジオ音声を構成する複数のチャプターをそれぞれ表す複数のチャプターアイコンのデータを取得し、取得した前記複数のチャプターアイコンのデータを用いて、前記複数のチャプターアイコンを前記複数のチャプターの時系列順に並べたアイコンを前記ラジオ音声のアイコンとして生成する処理を前記ラジオ音声について行うアイコン生成手段、
前記アイコン生成手段が前記ラジオ音声について生成した前記ラジオ音声のアイコンを表示部に表示する表示処理手段、
として機能させ、
前記アイコン生成手段は、
前記複数のチャプターそれぞれの内容をそれぞれ表す複数のチャプター情報のデータを前記ラジオ音声とは別に所定のサーバからネットワークを介して取得することで当該チャプター情報のデータに含まれる前記チャプターアイコンのデータを取得し、取得した前記チャプター情報のデータに前記チャプターアイコンのデータが含まれないときには、当該含まれないチャプターアイコンのデータを当該チャプター情報のデータを取得したタイミングよりも後のタイミングに前記所定のサーバから前記ネットワークを介して取得する、又は、
前記複数のチャプターそれぞれの内容をそれぞれ表す複数のチャプター情報のデータを前記ラジオ音声とは別に所定のサーバからネットワークを介して取得し、取得した当該チャプター情報のデータに含まれる所定データに基づいて、記憶部に予め記録されている所定データとチャプターアイコンのデータとの対応表を参照し、当該所定データに対応する前記チャプターアイコンのデータを記憶部から読み出すことで、前記チャプターアイコンのデータを取得し、取得した前記チャプター情報のデータに前記所定データが含まれないときには、当該含まれない所定データを当該チャプター情報のデータを取得したタイミングよりも後のタイミングに前記所定のサーバから前記ネットワークを介して取得し、取得した当該所定データに基づいて、前記対応表を参照し、当該所定データに対応する前記チャプターアイコンのデータを記憶部から読み出すことで、前記チャプターアイコンのデータを取得する、
ことを特徴とするプログラム。
【発明の詳細な説明】
【技術分野】
【０００１】
本発明は、表示処理装置、表示処理方法、及び、プログラムに関する。
【背景技術】
【０００２】
例えば、特許文献１には、録音した複数の番組を番組毎に一覧表示し、さらに、ユーザが前記複数の番組から１つの番組を選択したときに、選択された番組のコーナー（チャプター）を一覧表示する技術が開示されている。
【先行技術文献】
【特許文献】
【０００３】
【特許文献１】特開２００７−２８２２６号公報
【発明の概要】
【発明が解決しようとする課題】
【０００４】
しかしながら、上記技術では、番組名を見ただけではその番組の内容を確認しづらく、内容を確認するには、一度番組を選択してからでないとできない。このため、ユーザは、録音されたラジオ音声の内容を把握するのが面倒であった。
【０００５】
本発明は、このような問題点に鑑みてなされたものであり、録音されたラジオ音声の内容を把握しやすい、表示処理装置、表示処理方法、及び、プログラムを提供することを目的とする。
【課題を解決するための手段】
【０００６】
上記目的を達成するため、本発明の第１の観点に係る表示処理装置は、
放送されたラジオ音声を記録する記録部、
前記記録部によって記録された前記ラジオ音声を構成する複数のチャプターをそれぞれ表す複数のチャプターアイコンのデータを取得し、取得した前記複数のチャプターアイコンのデータを用いて、前記複数のチャプターアイコンを前記複数のチャプターの時系列順に並べたアイコンを前記ラジオ音声のアイコンとして生成する処理を前記ラジオ音声について行うアイコン生成部、
前記アイコン生成部が前記ラジオ音声について生成した前記ラジオ音声のアイコンを表示部に表示する表示処理部、
を備え、
前記アイコン生成部は、
前記複数のチャプターそれぞれの内容をそれぞれ表す複数のチャプター情報のデータを前記ラジオ音声とは別に所定のサーバからネットワークを介して取得することで当該チャプター情報のデータに含まれる前記チャプターアイコンのデータを取得し、取得した前記チャプター情報のデータに前記チャプターアイコンのデータが含まれないときには、当該含まれないチャプターアイコンのデータを当該チャプター情報のデータを取得したタイミングよりも後のタイミングに前記所定のサーバから前記ネットワークを介して取得する、又は、
前記複数のチャプターそれぞれの内容をそれぞれ表す複数のチャプター情報のデータを前記ラジオ音声とは別に所定のサーバからネットワークを介して取得し、取得した当該チャプター情報のデータに含まれる所定データに基づいて、記憶部に予め記録されている所定データとチャプターアイコンのデータとの対応表を参照し、当該所定データに対応する前記チャプターアイコンのデータを記憶部から読み出すことで、前記チャプターアイコンのデータを取得し、取得した前記チャプター情報のデータに前記所定データが含まれないときには、当該含まれない所定データを当該チャプター情報のデータを取得したタイミングよりも後のタイミングに前記所定のサーバから前記ネットワークを介して取得し、取得した当該所定データに基づいて、前記対応表を参照し、当該所定データに対応する前記チャプターアイコンのデータを記憶部から読み出すことで、前記チャプターアイコンのデータを取得する。
【０００７】
前記複数のチャプターアイコンの少なくとも１つは、前記チャプターを表す図形、文字、又は、記号を含むアイコンであってもよく、
前記アイコン生成部は、前記チャプター情報のデータを取得したときに、当該チャプター情報のデータを記憶部に記録し、
前記表示処理部は、前記ラジオ音声のアイコンを前記表示部に表示するとともに、操作部への操作によって移動するカーソルを表示し、当該カーソルが前記ラジオ音声のアイコンに含まれるチャプターアイコンの上に移動したときに、記憶部に記憶された、当該チャプターアイコンに対応する前記チャプター情報のデータに基づいて、チャプターの内容を前記表示部に表示するようにしてもよい。
【０００８】
前記複数のチャプターアイコンの少なくとも１つは、前記チャプターを表す、色分け又は模様分けされたバーの画像であってもよく、
前記アイコン生成部は、前記チャプター情報のデータを取得したときに、当該チャプター情報のデータを記憶部に記録し、
前記表示処理部は、前記ラジオ音声のアイコンを前記表示部に表示するとともに、操作部への操作によって移動するカーソルを表示し、当該カーソルが前記ラジオ音声のアイコンに含まれるチャプターアイコンの上に移動したときに、記憶部に記憶された、当該チャプターアイコンに対応する前記チャプター情報のデータに基づいて、チャプターの内容を前記表示部に表示するようにしてもよい。
【０００９】
前記アイコン生成部は、前記記録部が記録した前記ラジオ音声の放送時間に基づいて、この放送時間に放送された複数のチャプターについての複数のチャプター情報のデータを外部から取得してもよい。
【００１０】
前記アイコン生成部は、前記複数のチャプター情報のデータに基づいて、前記ラジオ音声全体を表すバーを前記複数のチャプターアイコンを含むブロックに分割した前記ラジオ音声のアイコンであって、前記ブロックの長さを、前記チャプターの再生時間の長さに応じた長さにした前記ラジオ音声のアイコンを生成してもよい。
【００１１】
また、本発明の第２の観点に係る表示処理方法は、
放送されたラジオ音声を記録する処理を行う記録ステップと、
前記記録ステップで記録した前記ラジオ音声を構成する複数のチャプターをそれぞれ表す複数のチャプターアイコンのデータを取得し、取得した前記複数のチャプターアイコンのデータを用いて、前記複数のチャプターアイコンを前記複数のチャプターの時系列順に並べたアイコンを前記ラジオ音声のアイコンとして生成するアイコン生成ステップと、
前記アイコン生成ステップで生成した前記ラジオ音声のアイコンを表示部に表示する表示処理ステップと、
を備え、
前記アイコン生成ステップでは、
前記複数のチャプターそれぞれの内容をそれぞれ表す複数のチャプター情報のデータを前記ラジオ音声とは別に所定のサーバからネットワークを介して取得することで当該チャプター情報のデータに含まれる前記チャプターアイコンのデータを取得し、取得した前記チャプター情報のデータに前記チャプターアイコンのデータが含まれないときには、当該含まれないチャプターアイコンのデータを当該チャプター情報のデータを取得したタイミングよりも後のタイミングに前記所定のサーバから前記ネットワークを介して取得する、又は、
前記複数のチャプターそれぞれの内容をそれぞれ表す複数のチャプター情報のデータを前記ラジオ音声とは別に所定のサーバからネットワークを介して取得し、取得した当該チャプター情報のデータに含まれる所定データに基づいて、記憶部に予め記録されている所定データとチャプターアイコンのデータとの対応表を参照し、当該所定データに対応する前記チャプターアイコンのデータを記憶部から読み出すことで、前記チャプターアイコンのデータを取得し、取得した前記チャプター情報のデータに前記所定データが含まれないときには、当該含まれない所定データを当該チャプター情報のデータを取得したタイミングよりも後のタイミングに前記所定のサーバから前記ネットワークを介して取得し、取得した当該所定データに基づいて、前記対応表を参照し、当該所定データに対応する前記チャプターアイコンのデータを記憶部から読み出すことで、前記チャプターアイコンのデータを取得する。
【００１２】
また、本発明の第３の観点に係るプログラムは、
コンピュータを、
放送されたラジオ音声を記録する処理を行う記録手段、
前記記録手段が記録した前記ラジオ音声を構成する複数のチャプターをそれぞれ表す複数のチャプターアイコンのデータを取得し、取得した前記複数のチャプターアイコンのデータを用いて、前記複数のチャプターアイコンを前記複数のチャプターの時系列順に並べたアイコンを前記ラジオ音声のアイコンとして生成する処理を前記ラジオ音声について行うアイコン生成手段、
前記アイコン生成手段が前記ラジオ音声について生成した前記ラジオ音声のアイコンを表示部に表示する表示処理手段、
として機能させ、
前記アイコン生成手段は、
前記複数のチャプターそれぞれの内容をそれぞれ表す複数のチャプター情報のデータを前記ラジオ音声とは別に所定のサーバからネットワークを介して取得することで当該チャプター情報のデータに含まれる前記チャプターアイコンのデータを取得し、取得した前記チャプター情報のデータに前記チャプターアイコンのデータが含まれないときには、当該含まれないチャプターアイコンのデータを当該チャプター情報のデータを取得したタイミングよりも後のタイミングに前記所定のサーバから前記ネットワークを介して取得する、又は、
前記複数のチャプターそれぞれの内容をそれぞれ表す複数のチャプター情報のデータを前記ラジオ音声とは別に所定のサーバからネットワークを介して取得し、取得した当該チャプター情報のデータに含まれる所定データに基づいて、記憶部に予め記録されている所定データとチャプターアイコンのデータとの対応表を参照し、当該所定データに対応する前記チャプターアイコンのデータを記憶部から読み出すことで、前記チャプターアイコンのデータを取得し、取得した前記チャプター情報のデータに前記所定データが含まれないときには、当該含まれない所定データを当該チャプター情報のデータを取得したタイミングよりも後のタイミングに前記所定のサーバから前記ネットワークを介して取得し、取得した当該所定データに基づいて、前記対応表を参照し、当該所定データに対応する前記チャプターアイコンのデータを記憶部から読み出すことで、前記チャプターアイコンのデータを取得する。
【発明の効果】
【００１３】
本発明によれば、録音されたラジオ音声の内容を把握しやすい。
【図面の簡単な説明】
【００１４】
【図１】本発明の１実施形態に係る表示処理装置の構成等を示すブロック図である。
【図２】図１の制御部が行う録音処理のフローチャートである。
【図３】図１の制御部が行う表示情報取得処理のフローチャートである。
【図４】図１の放送局サーバの記憶部に記録されるチャプター情報ＤＢのデータ内容の一例を示す図である。
【図５】図１の制御部が生成する表示情報データのデータ内容の一例を示す図である。
【図６】チャプター情報データの内容とラジオ音声のアイコンとの関係の一例を示す図である。
【図７】チャプター情報データの内容とラジオ音声のアイコンとの関係の一例を示す図である。
【図８】チャプター情報データの内容とラジオ音声のアイコンとの関係の一例を示す図である。
【図９】図１の表示部が表示する選択画面の一例である。
【図１０】ラジオ音声のアイコンの他の例を示す図である。
【図１１】図１の表示部が表示する選択画面の他の例である。
【発明を実施するための形態】
【００１５】
本発明に係る１実施形態について図面を参照して説明する。なお、本発明は下記の実施形態（図面の内容も含む。）によって限定されるものではない。下記の実施形態に変更（構成要素の削除も含む）を加えることができるのはもちろんである。また、以下の説明では、本発明の理解を容易にするために、公知の技術的事項の説明を適宜省略する。
【００１６】
まず、図１を参照して、本実施形態に係る表示処理装置の構成等を説明する。
【００１７】
本実施形態に係る表示処理装置１は、例えば、希望局として選択された放送局３が放送するラジオ音声（ラジオ放送における音声）を録音及び再生するラジオ音声記録再生装置である。
【００１８】
表示処理装置１は、制御部１０と、記憶部２０と、放送受信部３０と、通信部４０と、操作部５０と、表示部６０と、音声出力部７０と、を備える。
【００１９】
制御部１０は、表示処理装置１全体を制御して後述の処理を行う。制御部１０は、ＣＰＵ１１及びＲＡＭ１２から構成される。ＲＡＭ１２は、ＣＰＵ１１のメインメモリである。ＲＡＭ１２には、記憶部２０のプログラムがロードされる。ＣＰＵ１１は、ＲＡＭ１２にロードされたプログラムに従って、制御部１０が行う後述の処理を行う。制御部１０は、その一部少なくとも一部が、ＤＳＰ（Digital Signal Processor）、ＡＳＩＣ（Application Specific Integrated Circuit）等によって構成されてもよい。また、制御部１０は、本発明におけるアイコン生成部及び表示処理部としても機能する。
【００２０】
記憶部２０は、ハードディスク、フラッシュメモリ等の１以上の記憶装置によって構成される。記憶部２０は、プログラムの他、所定のデータを記憶する。特に、記憶部２０には、放送局３等によって放送されたラジオ音声の音声データ、この音声データについての表示情報（詳しくは後述する。）を表すデータ（表示情報データ）が記録される。表示情報データは、記憶部２０内の表示情報ＤＢ（データベース）に記録される。本発明における記録部は、制御部１０及び記憶部２０との協働により構成される。
【００２１】
放送受信部３０は、本実施形態では、ラジオチューナである。放送受信部３０は、後述する操作部５０の操作に基づき、制御部１０によって希望局（ユーザが聞きたいと希望する番組を放送している放送局であり、ここでは放送局３）が設定される。放送受信部３０は、図示しないアンテナに接続され、アンテナを介して電波を受信する。放送受信部３０は、受信した電波に基づいて、放送局３（希望局）が放送しているラジオ音声の音声データを取得する。このようにして、放送受信部３０は、放送局３が放送するラジオ音声を受信する。放送受信部３０は、取得した音声データを制御部１０に供給する。
【００２２】
通信部４０は、ネットワークカード等を含む各種通信装置によって構成される。通信部４０は、インターネット等のネットワーク７に接続される。通信部４０は、制御部１０が外部と通信を行うときの媒介になる。
【００２３】
操作部５０は、所定の入力キー（方向入力キー、決定キー等）を含む入力装置によって構成され、ユーザからの操作入力に応じた操作信号を制御部１０に供給する。
【００２４】
表示部６０は、液晶表示装置等から構成される。表示部６０は、制御部１０の制御のもと、所定の画面（操作画面や後述の画面）を表示する。
【００２５】
音声出力部７０は、音声増幅装置やスピーカ等から構成され、制御部１０の制御のもと、例えば、記憶部２０に記録されている音声データが表すラジオ音声を音声出力（再生出力）する。
【００２６】
計時部８０は、ＲＴＣ（Real Time Clock）等によって構成され、時刻（日付を含む。時刻について同じ。）を計時する。計時部８０は、適宜のタイミングで、制御部１０に参照される。これによって、制御部１０は、時刻を計時することができる。
【００２７】
放送局３は、ラジオ番組を放送する（ラジオ放送）。ラジオ番組は、１以上のチャプターに分けることが可能な内容によって構成される。ラジオ番組の内容は、例えば、音楽のコーナー、出演者によるトークのコーナー、コマーシャル、天気予報のコーナー、渋滞情報のコーナー、アーティストのインタビューのコーナー、スポーツの実況中継のコーナー等によって構成され、各々の構成がチャプターに対応付けられる。
【００２８】
放送局サーバ５は、各種のコンピュータによって構成され、ネットワーク７に接続される。放送局サーバ５は、放送局３が放送するラジオ番組のチャプター情報データをネットワークを介して配信する。ここで、チャプター情報データは、放送局３が放送するラジオ番組を構成するチャプターについての情報のデータであり、例えば、チャプターの内容を表すデータである。
【００２９】
次に、表示処理装置１の動作（制御部１０が行う処理）について説明する。
【００３０】
最初に表示処理装置１が行うラジオ音声の録音処理について図２を参照して説明する。ここで、ラジオ音声は、一のラジオ番組の一部の音声であってもよいし、一のラジオ番組の音声であってもよいし、複数のラジオ番組にまたがる音声であってもよい。
【００３１】
この処理は、例えば、ユーザが操作部５０を操作して録音予約（希望局の指定、記録開始時刻の指定（記録したい番組の指定等によって指定される場合も含む）等を含む。）を行った場合には、この録音予約によって指定される録音開始時刻が到来した時を契機として開始される。制御部１０は、時刻を計時し、前記の録音開始時刻が到来すると、この録音処理を開始する。なお、この録音処理は、ユーザが操作部５０を操作して録音の開始を指示したときを契機として開始してもよい。なお、希望局は、放送局３であるとする。
【００３２】
まず、制御部１０は、録音開始時の時刻（録音開始時刻）を表す録音開始時刻データを保持（例えば、ＲＡＭ１２に一時記録）する（ステップＳ１０１）。
【００３３】
次に、制御部１０は、録音予約で指定された希望局を放送受信部３０に設定し、放送受信部３０に現在放送中のラジオ番組（つまり、ユーザが録音したいラジオ音声）を受信させ、放送受信部３０が取得する音声データを記憶部２０に記録していく。このようにして、制御部１０は、ラジオ音声の録音を開始する（ステップＳ１０２）。これ以降、制御部１０は、録音の終了まで、ラジオ音声の録音をし続ける。
【００３４】
次に、制御部１０は、ラジオ音声の録音を終了するかを判別する（ステップＳ１０３）。例えば、前記の録音予約で録音の終了時刻が指定されている場合、制御部１０は、この録音の終了時刻が到来している場合に、録音を終了すると判別する（ステップＳ１０３；ＹＥＳ）。また、ユーザが操作部５０を操作して録音の終了を指示しているときに、録音を終了すると判別してもよい。この場合、制御部１０は、録音の終了を指示する操作信号が操作部５０から供給されているときに、録音を終了すると判別する。制御部１０は、これら以外のときには、録音を終了しないと判別し（ステップＳ１０３；ＮＯ）、再度ステップＳ１０３の処理を行う。このようにして、録音の終了時期まで、録音は続行される。
【００３５】
制御部１０は、録音を終了すると判別すると（ステップＳ１０３；ＹＥＳ）、このときの時刻（録音の終了時刻）を表す録音終了時刻データを保持する（ステップＳ１０４）。
【００３６】
制御部１０は、その後、記憶部２０に記録していた音声データに基づいて、この音声データを所定のデータ形式（例えば、ＭＰ３形式の音声データ）に変換し、変換後のデータに所定のファイル名のデータを付加した１つの音声ファイルを生成する。制御部１０は、記憶部２０の所定の記憶領域（音声ファイルを記録するための領域）に、この生成した音声ファイルを記録する。また、制御部１０は、音声ファイルの記録時に、前記で保持した録音開始時刻データと録音終了時刻データとを対応付けて記憶部２０に記録する。これによって、この音声ファイル（録音されたラジオ音声）についての、録音開始時刻と録音終了時刻とが把握されるようになる。このようにして、制御部１０は、記録したラジオ音声を記憶部２０に保存し（ステップＳ１０５）、本処理を終了する。
【００３７】
以上のようにして、制御部１０は、ラジオ音声を録音する。なお、本実施形態では、２０１０年４月１０日２２時２０分（録音開始時刻）〜２０１０年４月１０日２２時５５分（録音終了時刻）に放送されたラジオ音声が録音されたものとする。
【００３８】
次に、表示処理装置１（制御部１０）が行う、録音したラジオ音声についてのチャプター情報を取得して、これに基づいて表示情報を生成して記憶部２０に記録する表示情報取得処理について図３等を参照して説明する。この処理は、前記録音処理の後の所定のタイミングに行われる。また、この処理は、放送局サーバ５がチャプター情報の配信サービスによって配信するチャプター情報データを取得する処理でもある。なお、ラジオ番組又はそのチャプターによっては、この配信サービスが対応していない場合がある。つまり、所定のラジオ番組又はそのチャプターについてはチャプター情報データが配信されない場合がある。
【００３９】
まず、制御部１０は、通信部４０を用いてネットワーク７を介して放送局サーバ５にアクセスする（ステップＳ２０１）。記憶部２０には、予め各放送局についてのサーバのアドレス等が記録されているものとし、制御部１０は、前記の録音処理で放送受信部３０に希望局として設定した放送局３のアドレスを記憶部２０から取得し、このアドレスを用いて放送局サーバ５にアクセスする。
【００４０】
次に、制御部１０は、前記の録音処理で記憶部２０に記録した音声ファイルに対応付けられた録音開始時刻データと録音終了時刻データとに基づいて、これらデータがそれぞれ表す録音開始時刻から録音終了時刻までに放送された番組（つまり、前記で録音されたラジオ音声）の少なくとも一部が、チャプター情報の配信サービスに対応しているかを判別する（ステップＳ２０２）。この判別は、放送局サーバ５の記憶部に、録音開始時刻から録音終了時刻までの期間に重なる期間（一部重なる期間も含む。）を表す放送時間データが記録されているか否かを判別することによって行われる。この放送時間データは、チャプター情報データに含まれるものである。
【００４１】
ここで、放送局サーバ５の記憶部に記録されるチャプター情報データについて説明する。チャプター情報データは、例えば、図４に示すように、放送時間データと、種別データと、チャプター名データと、チャプターアイコンデータと、代表画像データと、番組名データと、放送局データと、を含む。チャプター情報データは、それぞれ、番組のチャプター毎に、このチャプターの情報を表すデータである。チャプター情報データの各データは、適宜のタイミングでアップロードされるものとする。但し、放送時間のデータは、遅くとも放送直後（つまり、表示情報取得処理が開始される前のタイミング）には、アップロードされているものとする。
【００４２】
放送時間データは、そのチャプターの放送時間を表すデータである。このデータが記録されている場合、その放送時間に放送されたチャプターは、配信サービスに対応している。
【００４３】
種別データは、そのチャプターの種別を表すデータである。チャプターの種別としては、例えば、上記のように、音楽、トーク、コマーシャル、天気予報、渋滞情報、アーティストのインタビュー、スポーツの実況中継等がある。
【００４４】
チャプター名データは、そのチャプターの名前（そのコーナーのコーナー名）等を表すデータである。
【００４５】
チャプターアイコンデータは、そのチャプターを表すアイコン（チャプターアイコン）を表すデータ（ここでは、画像データ）である。本実施形態では、チャプターアイコンは、そのチャプターの種別、内容、又は、題名を示すものである。
【００４６】
代表画像データは、そのチャプターを表す代表の画像または動画を表すデータである。チャプターアイコンは、アイコン、ロゴ、バーの画像等、チャプターを図形で表す適宜の画像である。代表画像は、例えば、この画像または動画によってチャプターの内容が連想、把握等できる画像または動画であればよく、どのような画像または動画であるかは任意である。チャプターが音楽のコーナーであれば、この画像または動画は、例えば、この音楽の曲が収録されているＣＤのジャケット画像、又は、音楽を演奏等するアーティストの写真画像または動画などである。チャプターが出演者によるトークのコーナーであれば、この画像または動画は、例えば、このトークの出演者が写った写真画像またはトーク中のライブ映像などである。チャプターがコマーシャルであれば、この画像または動画は、例えば、このコマーシャルの画像または動画などである。チャプターが天気予報のコーナーであれば、この画像または動画は、例えば、この天気予報における天気図の画像または動画などである。チャプターが渋滞情報のコーナーであれば、この画像または動画は、例えば、地図の画像または渋滞地点等のライブカメラ映像などである。チャプターがアーティストのインタビューのコーナーであれば、この画像または動画は、例えば、そのアーティストの写真画像または動画である。チャプターがスポーツの実況中継のコーナーであれば、この画像または動画は、例えば、その中継の写真画像やハイライトシーンの動画などである。
【００４７】
番組名データは、そのチャプターを有する番組名を表すデータである。
【００４８】
放送局データは、そのチャプターを有する番組を放送する放送局名を表すデータである。
【００４９】
なお、上記での録音開始時刻（２０１０年４月１０日２２時２０分）から録音終了時刻（２０１０年４月１０日２２時５５分）までの期間に重なる放送時間のデータを含むチャプター情報データをチャプター情報データ１乃至４とする（図４参照）。
【００５０】
また、図４中、「×」の欄は、その情報についてのデータの扱いが無いことを示す。例えば、図４では、チャプター情報データ２の代表画像について「×」になっているので、チャプター情報データ２には、代表画像のデータが含まれないことになり、後にアップロードもされない。つまり、チャプター情報データ２には、所定の情報（ここでは、代表画像）についての扱いが無いことを示すデータ（ここでは「×」を示すデータであり、これも便宜上、前記の所定の情報のデータ（ここでは、代表画像データ）であるものとする。）が含まれる。
【００５１】
また、図４中、「−」の欄は、その情報についてのデータのアップロードがまだ無いことを示す。例えば、図４では、チャプター情報データ４の代表画像について「−」になっているので、チャプター情報データ４には、代表画像のデータが現在含まれないことになり、後にアップロードもされる。つまり、チャプター情報データ４には、所定の情報（ここでは、代表画像）について、後にアップロードがされることを示すデータ（ここでは「−」を示すデータであり、これも便宜上、前記の所定の情報のデータ（ここでは、代表画像データ）であるものとする。）が含まれる。
【００５２】
図３のフローチャートの説明に戻り、制御部１０は、放送局サーバ５の記憶部に、録音開始時刻から録音終了時刻までの期間に重なる期間を表す放送時間データが記録されている場合には、前記で録音されたラジオ音声がチャプター情報の配信サービスに対応していると判別し（ステップＳ２０２；ＹＥＳ）、ステップＳ２０３の処理に進む。放送時間データが記録されていない場合、制御部１０は、前記で録音されたラジオ音声がチャプター情報の配信サービスに対応していないと判別し（ステップＳ２０２；ＮＯ）、本処理を終了する。
【００５３】
本実施形態では、前記で録音されたラジオ音声の録音開始時刻が２０１０年４月１０日２２時２０分で、録音終了時刻が２０１０年４月１０日２２時５５分であるので、この期間に重なる放送時間を表す放送時間データを含むチャプター情報データ１乃至４が放送局サーバ５の記憶部に記録されている。このため、制御部１０は、前記で録音されたラジオ番組がチャプター情報の配信サービスに対応していると判別する。
【００５４】
なお、上記の場合では、２０１０年４月１０日２２時２０分〜２０１０年４月１０日２２時３５分及び２０１０年４月１０日２２時４５分〜２０１０年４月１０日２２時５５分に放送されたチャプターが配信サービスに対応しており、２０１０年４月１０日２２時３５分〜２０１０年４月１０日２２時４５分までのチャプターが配信サービスに対応してない。
【００５５】
次に、制御部１０は、ステップＳ２０３の処理において、録音開始時刻から録音終了時刻までの期間に重なる期間を表す放送時間データを含む前記の各チャプター情報データ（以下では、対象チャプター情報データという。）について、全てのデータ（「−」及び「×」のデータを除く。）を取得しているかを判別する（ステップＳ２０３）。
【００５６】
後述のように、制御部１０は、ステップＳ２０５の処理において、対象チャプター情報データに含まれるデータを放送局サーバ５から取得する。制御部１０は、取得したデータを記憶部２０に記録する。制御部１０は、ステップＳ２０３の処理において、対象チャプター情報データに含まれるデータ（「−」及び「×」のデータを除く。）を全て記憶部２０に記録している場合、かつ、対象チャプター情報データに「−」のデータが含まれていない場合に、全てのデータを取得していると判別する（ステップＳ２０３；ＹＥＳ）。この場合、後にアップロードされるデータもないため、対象チャプター情報データについて、全てのデータが取得されたことになるからである。また、制御部１０は、それ以外のときに、全てのデータを取得していないと判別する（ステップＳ２０３；ＮＯ）。制御部１０は、全てのデータを取得していると判別する（ステップＳ２０３；ＹＥＳ）と、表示情報を更新する必要等もないため本処理を終了する。
【００５７】
制御部１０は、全てのデータを取得していると判別する（ステップＳ２０３；ＹＥＳ）と、表示情報を更新する必要等もないため本処理を終了する。
【００５８】
制御部１０は、全てのデータを取得していないと判別する（ステップＳ２０３；ＮＯ）と、次に、現在の対象チャプター情報データに含まれるデータであって、「−」のデータになっていないデータ（アップロード済みのデータ）の中で、未取得のデータがあるかを判別する（ステップＳ２０４）。つまり、制御部１０は、現時点で対象チャプター情報データに含まれるデータ（「−」及び「×」のデータを除く。）を全て記憶部２０に記録しているかを判別し、全て記録していない場合には、未取得のデータ（つまり、まだ記録部２０に記録されていないデータ）があると判別し（ステップＳ２０４；ＹＥＳ）、この未取得のデータ（適宜「×」のデータ等も含む。）を、放送局サーバ５から取得する（ステップＳ２０５）。
【００５９】
制御部１０は、ステップＳ２０４において、未取得のデータがないと判別した場合には（ステップＳ２０４；ＮＯ）、まだアップロードされていないデータがあるため、このデータのアップロードを待つために、所定時間（例えば、１２時間）待機し（ステップＳ２０７）、ステップＳ２０３の処理を再び行う。
【００６０】
上記のようにして、制御部１０は、ステップＳ２０５の処理において、その時点でアップロードされているデータを順次取得することができ、これによって、対象チャプター情報データを構成するデータを適切に取得することができる。例えば、対象チャプター情報データが、チャプター情報データ１乃至４であった場合には、これらデータに含まれるデータ（適宜「×」のデータ等も含む。）が取得される。
【００６１】
制御部１０は、ステップＳ２０５の後、取得したデータを用いて表示情報データを生成して記録（２回目以降は更新）する（ステップＳ２０６）。
【００６２】
制御部１０は、ステップＳ２０５で取得したデータを、チャプター情報データ毎にそのまま対応付けて記憶部２０に記録する他、ステップＳ２０５で取得したチャプターアイコンデータ等に基づいてラジオ音声（本実施形態では記憶部２０に記録された音声ファイル）のアイコンを表すアイコンデータ（ここでは、画像データ）を生成し、このアイコンデータを前記のデータに対応付けて、記憶部２０に記録する。ステップＳ２０５で取得したデータとラジオ音声のアイコンデータとから表示情報データが構成される。このため、上記のような処理によって、制御部１０は、表示情報データを生成して記憶部２０に記録することになる。なお、制御部１０は、２回目以降のステップＳ２０５で新たに取得したデータについては、チャプター情報データ毎に他のデータと対応付け、記憶部２０に記録することによって、表示情報データに、新たに取得されたデータを追加する。また、すでにラジオ音声のアイコンが生成されている場合であって、２回目以降のステップＳ２０５で新たに取得したデータがチャプターアイコンデータである場合、制御部１０は、このデータを用いて、このデータが表すチャプターアイコンを追加したラジオ音声のアイコンデータを新たに生成して、記憶部２０に従前のアイコンデータに上書きすることで、ラジオ音声のアイコンデータを更新する。以上のようにして、表示情報データは適宜、更新される。ここで、表示情報データのデータ内容を図５に示す。図５では、全てのデータがアップロードされたチャプター情報データ１乃至４を含む表示情報データが記載されている。なお、制御部１０は、表示情報データを記憶部２０に記録された音声ファイルに対応づけて記録する。これによって、この音声ファイルについての表示情報データが、その音声ファイルに対応付けられて記録される。制御部１０は、ステップＳ２０６の処理の後、再びＳ２０３の処理を行う。
【００６３】
制御部１０は、上記のような録音処理や表示情報取得処理を複数のラジオ音声について行い、複数のラジオ音声を録音するとともに、録音したそれぞれのラジオ音声について表示情報データを生成して、ラジオ音声の音声ファイルに対応付けて記憶部２０に記憶する。このような、複数の表示情報データは、表示情報ＤＢを構成することになる。
【００６４】
ここで、図６乃至８に、３つのタイミングにおける、放送局サーバ５の記憶部に記録された各チャプター情報データ１乃至４（対象チャプター情報データ）と、各チャプター情報データに含まれるチャプターアイコンデータ等に基づいて生成されるラジオ音声のアイコンと、の関係を示す。制御部１０は、下記のようなラジオ音声のアイコンのアイコンデータを適宜生成し、表示情報データの一部として記憶部２０に記録する。
【００６５】
図６のチャプター情報データ１乃至４は、このチャプターの番組の放送直後のデータとなっており、図６のように、チャプター情報データ１乃至４が含む、放送時間データ以外のデータは、それぞれ、まだアップロードされていないものとする。このようなチャプター情報データ１乃至４が制御部１０によって取得された場合、制御部１０は、ラジオ音声のアイコンとして、ラジオ音声全体を表すバーを、放送時間データが表す放送時間に基づいて、配信サービスが対応しているチャプターのブロック（「？」の部分）と、対応していないチャプターのブロック（「×」の部分であり、これがサービス非対応のチャプターを表すダミーのチャプターアイコンになる。）と、に区分けしたアイコンのアイコンデータを生成する。各チャプター情報データ１乃至４が含む放送時間データが表す各放送時間に、一部分連続していない部分があれば、その部分についてのチャプターがサービス非対応のチャプターになっていると把握される。なお、ブロックは、一のチャプター情報データのチャプターを１つの単位としたブロックになっている。また、配信サービスに対応していないブロックは、１つのブロックとして扱われている。
【００６６】
図７のチャプター情報データ１乃至４は、図６の時期から所定時刻経過した後のデータとなっており、図７のように、チャプター情報データ１乃至４が含む、放送時間データ以外のデータの一部は、アップロードされている。チャプター情報データ１乃至４のうちのアップロードされたデータが制御部１０によって取得された場合、制御部１０は、ラジオ音声のアイコンとして、ラジオ音声全体を表すバーを、各チャプター（チャプター情報データ１乃至４のチャプター及び配信サービスに非対応のチャプター）で等分し、取得できているチャプターアイコンデータが表すアイコンを対応するチャプターのブロック内に配置したアイコンのアイコンデータを生成する。図７では、各アイコン（チャプターアイコン）は、チャプターの種別を図形で表すアイコン（アイコンＰ）と、チャプターが配信サービス非対応であること又はこのチャプターのアイコンが未アップロードであることを記号で表すアイコン（アイコンＭ、Ｎ）と、チャプターのコーナー名のロゴ（番組オリジナルのロゴ）で表すアイコン（アイコンＳ）とからなる。
【００６７】
図８のチャプター情報データ１乃至４は、図７の時期からさらに所定時刻経過した後のデータとなっており、図８のように、チャプター情報データ１乃至４の全てのデータがアップロードされている。チャプター情報データ１乃至４の全てのデータ（ダウンロード可能な全てのデータ）が制御部１０によって取得された場合、制御部１０は、ラジオ音声のアイコンとして、ラジオ音声全体を表すバーを、各チャプター（チャプター情報データ１乃至４のチャプター及び配信サービスに非対応のチャプター）で等分し、チャプターアイコンデータが表すアイコンを対応するチャプターのブロック内に配置したアイコンのアイコンデータを生成する。図８では、各アイコンは、チャプターの種別を図形で表すアイコン（アイコンＰ）と、チャプターの種別を文字（ロゴを含む）で表すアイコン（アイコンＱ）と、チャプターが配信サービス非対応であることを記号で表すアイコン（アイコンＮ）と、チャプターのコーナー名のロゴ（番組オリジナルのロゴ）で表すアイコン（アイコンＳ）とからなる。
【００６８】
なお、アイコンＮ等のチャプターの内容を表すことのできないアイコンは、例えば、「×」ではなくて、放送局（例えば、前後のチャプターの放送局データが表す放送局と同じ放送局）を表すアイコン等であってもよい。記憶部２０にこのアイコンのデータが記録されており、制御部１０がこのデータを用いて前記のアイコンを生成して、ラジオ音声のアイコンに含ませても良い。
【００６９】
次に、制御部１０が行う、録音したラジオ音声のプレイリスト（ラジオ音声のアイコンの一覧）等を含む選択画面を表示部６０に表示する処理について、説明する。この処理は、例えば、ユーザが操作部５０を操作して、再生したいラジオ音声を選択するための選択画面を表示部６０に表示する指示を行ったことを契機として始まる。また、この処理は、例えば、ユーザが操作部５０を操作して、表示部６０に表示する画面を選択画面から他の画面に切り替える指示を行ったことを契機として終了する。
【００７０】
制御部１０は、記憶部２０に記録した表示情報データ、及び、記憶部２０に記録している所定の画像データ等を取得して用いて、表示部６０を制御し、例えば、図９に示すような選択画面を表示部６０に表示する。図９の選択画面６１は、ラジオ音声アイコン表示領域６２と、アイコン凡例表示領域６３と、ラジオ音声情報表示領域６５と、チャプター情報表示領域６６と、代表画像表示領域６７と、カーソル６９と、を含む。
【００７１】
カーソル６９は、ユーザの操作部５０（例えば、方向入力キー）への操作に応答して選択画面６１上を移動する。ユーザがカーソル６９を移動させるために操作部５０を操作した場合、操作部５０はこの操作に応じた操作信号を制御部１０に供給する。制御部１０は、供給された操作信号に応答して、カーソル６９を選択画面６１上で動かす。
【００７２】
制御部１０は、記憶部２０に記録した複数の表示情報データにそれぞれ含まれる複数のアイコンデータがそれぞれ表す複数のアイコンを、ラジオ音声アイコン表示領域６２に、例えば、記録開始時刻データの時刻が古いものから順に、上から並べて表示する。また、これとともに、各アイコンの上に、各音声ファイルの表示情報データに含まれる放送局データ及び番組名データが示す放送局（ＦＭ○○等）及び番組名（カウントダウン・・・等）を表示する。なお、この部分に、音声ファイルのファイル名を併記してもよい。また、１つの音声ファイルについて、放送局や番組名が複数ある場合には、それらを例えば併記する。また、音声ファイルが配信サービスに対応していない場合には、非対応である旨（例えば、「×」、以下同じ。）を表示する。なお、図９でのラジオ音声アイコン表示領域６２の最上段のアイコンは、チャプター情報データ１乃至４によって生成された表示情報データに基づいて表示されたものである。
【００７３】
制御部１０は、記憶部２０に記録した所定の画像データを用いてアイコンの凡例をアイコン凡例表示領域６３に表示する。図９におけるラジオ音声アイコン表示領域６２およびアイコン凡例表示領域６３には、各アイコンが各表示領域に表示しきれない場合は、上下スクロールを可能とする上下スクロールバーを表示してもよい。
【００７４】
制御部１０は、カーソル６９が、チャプターアイコン上（チャプターアイコンを含むブロック上であってもよい）に移動した場合、そのチャプターアイコンを含むアイコンの音声ファイルに対応する表示情報データを用いて、カーソル６９があるチャプターの放送局（「ＦＭ○○」）、そのチャプターの番組名（「カウントダウン・・・」）、そのチャプターを含む音声ファイルの放送された放送時間（「２０１０年４月１０日２２時２０分〜２０時５５分」）、そのチャプターを含む音声ファイルの再生時間（「３５分」）をラジオ音声情報表示領域６５に表示する。放送局及び番組名は、そのアイコンのチャプターの放送局データ及び番組名データに基づいて表示される。なお、そのアイコンのチャプターが配信サービス非対応だった場合には、制御部１０は、この部分について何も表示しないか、非対応である旨を表示するか、前記のアイコンのチャプターの放送局データ及び番組名データに基づいて放送局等を表示する。放送時間及び再生時間は、そのアイコンのチャプターを含むラジオ音声（音声ファイル）に対応して記録されている録音開始時刻データ及び録音終了時刻データがそれぞれ表す時刻に基づいて、算出等され表示される。
【００７５】
さらに、制御部１０は、前記の表示情報データを用いて、カーソル６９があるチャプターのチャプター名（「ＺとＹの対談２」）、そのチャプターの種別（「トーク」）、そのチャプターの放送された放送時間（「２０１０年４月１０日２２時４５分〜２０時５０分」）、再生時間（「５分」）をチャプター情報表示領域６６に表示する。チャプター名及び種別は、そのアイコンのチャプターのチャプター名データ及び種別データに基づいて表示される。なお、そのアイコンのチャプターが配信サービス非対応だった場合には、制御部１０は、この部分について何も表示しないか、非対応である旨を表示する。放送時間及び再生時間は、そのアイコンのチャプターの放送時間データに基づいて、算出等され表示される。
【００７６】
さらに、制御部１０は、カーソル６９があるチャプターについての代表画像データを用いて、この代表画像データが表す代表画像または動画（画像Ｐ１）を代表画像表示領域６７に表示する。なお、そのアイコンのチャプターが配信サービス非対応だった場合には、制御部１０は、この部分について何も表示しないか、非対応である旨を表示する。
【００７７】
なお、制御部１０は、前記の表示で使用するデータが未取得（まだ、放送局サーバ５にアップロードされていなかったデータ）の場合、その旨（例えば、「？」）を、表示すべき領域に表示するものとする。
【００７８】
上記の選択画面の表示によって、それぞれの音声ファイルについて、チャプターがアイコンで表示され、ユーザは、録音されたラジオ音声の内容を把握しやすい。
【００７９】
なお、ユーザは、操作部（方向入力キー）５０を操作して、カーソル６９を移動させるが、カーソル６９が、例えば、ラジオ音声アイコン表示領域６２における、チャプターのアイコン上や、放送局名又は番組名上に位置したときに、ユーザは、さらに、操作部（決定キー）５０を操作する。制御部１０は、このような操作に対応する操作信号が操作部５０から供給されると、このときにカーソル６９の位置が放送局名又は番組名上である場合には、その放送局名等に対応する音声ファイルを記憶部２０から取得し、この音声ファイルの音声データに基づいて、音声出力部７０を制御して、このラジオ音声を最初から音声出力部７０を介して音声出力（再生）する。また、制御部１０は、前記のときにカーソル６９の位置がチャプターアイコン上である場合には、そのチャプターを含む音声ファイルを記憶部２０から取得し、そのチャプターの放送時間データ及びそのチャプターの音声ファイルに対応付けられた録音開始時刻データ及び録音終了時刻データに基づいて、その取得した音声ファイルにおける再生位置及び再生終了位置を特定し、その期間についての音声データに基づいて、音声出力部７０を制御して、このチャプターの音声を音声出力（再生）する。録音開始時刻及び録音終了時刻によって、全体の再生時間が算出される。また、放送時間と録音開始時刻とによって、全体の再生時間の中での再生するチャプターの期間が算出され、これによって、チャプターのみが音声出力される（つまり頭出し再生される）。なお、チャプターが配信サービス非対応だった場合には、前後のチャプターの放送時間等によって、そのチャプターの放送時間は特定される。
【００８０】
なお、チャプター情報データや表示情報データに含まれるデータは適宜省略されてもよく。また、チャプター情報データや表示情報データは、他のデータを含んでも良い。さらに、制御部１０は、音声ファイルのアイコンを生成するときに、種別データを用いてもよい。この場合、記憶部２０には、種別データとチャプターアイコンデータとの対応表が記録されており、制御部１０は、この対応表を参照して、チャプター情報データに含まれる種別データに基づいて、この対応表からチャプターアイコンデータを取得し、このデータを用いて音声ファイルのアイコンを生成してもよい。
【００８１】
本実施形態では、上記の処理によって、表示処理装置１は、放送されたラジオ音声を記録する処理を複数のラジオ音声それぞれについて行う記録部（制御部１０及び記憶部２０）を備える。また、上記の処理によって、表示処理装置１は、記憶部２０に記録した（記録部に記録された）ラジオ音声を構成する複数のチャプターをそれぞれ表す複数のチャプターアイコンを取得し、取得した複数のチャプターアイコンを用いて、複数のチャプターアイコンを複数のチャプターの時系列順に並べたアイコンをラジオ音声（音声ファイル）のアイコンとして生成する処理を複数のラジオ音声それぞれについて行うアイコン生成部（制御部１０）を備える。そして、上記の処理によって、表示処理装置１は、アイコン生成部が複数のラジオ音声それぞれについて生成した複数のラジオ音声のアイコンを表示部に一画面内で表示する表示処理部（制御部１０）を備える。本実施形態によれば、複数のラジオ音声それぞれについて、チャプターをアイコン表示するので、このアイコンを見て、ユーザは録音されたラジオ音声の内容を把握しやすい。
【００８２】
特に、チャプターアイコンは、チャプター（内容、種別等）を表す図形、文字（ロゴを含む）、又は、記号を含むアイコンとしているため、ユーザは、アイコンを見て、チャプターの内容等を直感的に把握することができるため、このアイコンを見て、ユーザは録音されたラジオ音声の内容を把握しやすい。
【００８３】
また、アイコン生成部は、記録部に記録されたラジオ音声の放送時間に基づいて、この放送時間に放送された複数のチャプターについての複数のチャプター情報を外部から取得し、取得した複数のチャプター情報に基づいて複数のチャプターアイコンを取得しているので、本来アイコンデータを持たないラジオ放送の録音であっても、録音されたラジオ音声の内容を把握しやすい、音声ファイルのプレイリストの表示が行える。
【００８４】
また、ラジオ音声のアイコンはバー状のアイコンであるので、ユーザは、直感的に、チャプターアイコンの時系列を把握しやすい。特に、チャプターアイコンがアイコンのバーを分割したブロック内に配置されるので、直感的に、チャプターアイコンの時系列を把握しやすい。
【００８５】
なお、上記のチャプターアイコンを含むブロックの長さ（ブロックを並べる方向に沿った長さ）は、放送時間の長さに応じた長さにしてもよい。例えば、図９のように、ラジオ音声のアイコンは、全体のバーを放送時間の長さに比例したブロックに分割したアイコン（タイムバー形式のアイコン）であってもよい。この長さは、各チャプターについての放送時間データを用いて算出される。このようにすることでチャプターの再生時間等や、音声ファイル内でのチャプターの占める割合等を、ユーザは直感的に把握できる。本実施形態では、このようにして、アイコン生成部は、複数のチャプター情報に基づいて、ラジオ音声全体を表すバーを複数のチャプターアイコンを含むブロックに分割したラジオ音声のアイコンであって、ブロックの長さを、前記チャプターの再生時間の長さに応じた長さにした前記ラジオ音声のアイコンを生成する。
【００８６】
チャプターアイコンは、前記チャプターの内容（種別等）によって色分け、又は、模様分けされたバーの画像であってもよい。この場合、このバーの画像が上記のブロックになり、ブロックがチャプターアイコンになる。つまり、チャプターアイコンを含むブロックは、チャプターアイコンであってもよい。このようなアイコンを採用した場合の選択画面６１を図１１に示す。図１１では、図９と対応する表示領域について同じ符号を付してあり、これらの領域の説明については、図９での説明に順じる。各チャプターアイコンは、ハッチング等で分けられているが、実際には、ハッチング等の種類に応じた、異なる色での色分け、及び／又は、異なる模様での模様分けがなされている。このような音声ファイルのアイコンが一覧表示されても、ユーザは録音されたラジオ音声の内容を把握しやすい。なお、図１１では、最上段のアイコンのみが、図９のアイコン（つまり、チャプター情報データ１乃至４によって生成されたアイコン）と対応している。図１１では、チャプターアイコンの長さ（ブロックの長さ）は、放送時間（再生時間）の長さに応じた長さになっているが、図９のように、チャプターアイコンは、それぞれが同じ長さであってもよい。なお、音声ファイルのアイコンは、前記の図形等と、前記バーと、を組み合わせたものであってもよい。
【００８７】
なお、配信サービスに非対応のチャプターアイコンは、ユーザが任意にマニュアル操作によって設定したものであってもよい。
【００８８】
上記で記録されている音声データは、電波から取り出された音声データであるが、ネットワーク７を介して放送局サーバ５から配信される音声データであってもよい。この場合、放送受信部３０が放送局３の番組を受信可能であることを条件として、制御部１０は、例えば、通信部４０を介して放送局サーバ５が配信する音声データを取得し、取得した音声データについて、音声ファイルを生成して記憶部２０に記録する。
【００８９】
また、チャプター情報データは、放送局３が放送するラジオ番組と同期して配信されるものであってもよい。この場合、制御部１０は、通信部４０を介してチャプター情報データをリアルタイムで取得し、取得したデータに基づいて、所定のタイミングで表示情報データを生成する。
【００９０】
上記実施形態では、プログラムが、記憶部２０等に予め記憶されているものとして説明した。しかし、コンピュータを、装置の全部又は一部として動作させ、あるいは、上述の処理を実行させるためのプログラムを、フレキシブルディスク、ＣＤ−ＲＯＭ（Ｃｏｍｐａｃｔ  Ｄｉｓｃ  Ｒｅａｄ−Ｏｎｌｙ  Ｍｅｍｏｒｙ）、ＤＶＤ（Ｄｉｇｉｔａｌ  Ｖｅｒｓａｔｉｌｅ  Ｄｉｓｋ）などのコンピュータ読み取り可能な記録媒体に格納して配布し、これを別のコンピュータにインストールし、このコンピュータを上述の機能として動作させ、あるいは、上述の処理を実行させてもよい。
【００９１】
さらに、インターネット上のサーバ装置が有するディスク装置等に前記のプログラムを格納しておき、例えば、搬送波に重畳させて、このプログラムをコンピュータにダウンロード等させてもよい。
【００９２】
上記のように本実施形態及びその変形例では、画像データを本来持たないラジオ放送の録音に対して、アイコンを自動的に作成し、そのアイコンにてプレイリスト表示を行っているので、ユーザは、録音された複数のラジオ音声の内容を一度で把握しやすい。また、チャプター情報データを元にアイコンを生成するので、録音フォーマットには依存しないで、音声ファイルのアイコンを生成できる。音声ファイルのアイコンは、音声ファイルとリンクしながらも音声ファイルとは別データとして記憶部２０に記録されるので、音声ファイル自体は本表示処理装置の機能を持たない機器に対しての互換性が保たれる。また、ラジオは基本的に生放送の為、テレビに比べて番組プログラムの時間構成が毎回異なるが、放送時間データを持ったチャプター情報データによって、チャプターのアイコン化が容易にできる。また、上記の実施形態では、チャプターアイコンが選択された場合（カーソル６９がチャプターアイコン上に位置したとき）に、そのチャプターアイコンについての代表画像または動画が表示されるため、録音したひとつの音声ファイル内にて、聞きたい場面を瞬時に選択できる。また、ラジオで流れたお気に入りの曲を、代表画像（ジャケット写真や動画等）をもとに視覚的に探せる為、すばやくそのチャプターを頭出しすることができる。
【符号の説明】
【００９３】
１            表示処理装置
３            放送局
５            放送局サーバ
７            ネットワーク
１０          制御部
２０          記憶部
３０          放送受信部
４０          通信部
５０          操作部
６０          表示部
７０          音声出力部
８０          計時部
【図１】
0005445393.tif 000002
【図２】
0005445393.tif 000003
【図３】
0005445393.tif 000004
【図４】
0005445393.tif 000005
【図５】
0005445393.tif 000006
【図６】
0005445393.tif 000007
【図７】
0005445393.tif 000008
【図８】
0005445393.tif 000009
【図９】
0005445393.tif 000010
【図１０】
0005445393.tif 000011
【図１１】
0005445393.tif 000012